(57)【要約】【課題】リモコン操作体側の電池電源が不要で、電池交換の煩雑さがなく、しかもリモコン操作体の小型化や薄型化が図れる遠隔操作システムを提供することにある。【解決手段】リモコン操作体２では操作スイッチＳＷ１〜ＳＷ１２の何れかが押し操作されると、対応するＩＤタグ５１〜ＩＤタグ５１２から情報管理装置１へ応答信号を返さなくなる。情報管理装置１の信号処理部１２は応答信号を返さなくなった当該ＩＤタグに対応付けている送信チャンネルを記憶部１４のテーブルから読み出し、この送信チャンネルによる赤外線リモコン信号の送信をリモコン信号送信部１１に指令する。この指令を受けたリモコン信号送信部１１は学習機能部１３で記憶している当該送信チャンネルに対応した信号パターンの赤外線リモコン信号を発光ダイオードＬＥＤより送信させ、所定の操作対象機器３をリモコン操作するのである。【選択図】図１
2006287807.tif 000002
【特許請求の範囲】
【請求項１】
パッシブでＲＦ型のＩＤタグを複数備えるとともに、各ＩＤタグに応答信号として返す各別の情報を夫々記憶させ、ＩＤタグの応答信号の有／無を操作情報として送るリモコン操作体と、リモコン信号を送信するリモコン信号送信部、前記リモコン操作体の各ＩＤタグとの間で交信してＩＤタグに電力を供給するとともに、各ＩＤタグから応答信号を取得するＩＤ送受信部、ＩＤ送受信部の応答信号の受信の有／無からリモコン操作体の操作が為されていると判断された場合、当該ＩＤタグに対応付けているリモコン信号を前記リモコン信号送信部から操作対象機器に対して送信させる信号処理部を備えた情報管理装置とを備えていることを特徴とする遠隔操作システム。
【請求項２】
前記リモコン操作体は、操作があったことを示す操作情報を前記ＩＤタグの応答信号の送信を阻止することで送り、前記情報管理部の前記信号処理部は前記ＩＤ送受信部が応答信号を受信できなかったＩＤタグがあると、当該ＩＤタグに対応した操作が為されたと判断することを特徴とする請求項１記載の遠隔操作システム。
【請求項３】
前記情報管理装置との間で交信可能な領域に前記リモコン操作体が存在しているか否かの検知のための別のＩＤタグを前記リモコン操作体に備え、前記情報管理装置では前記別のＩＤタグから応答信号として当該ＩＤタグの識別情報が取得できているときのみ、前記リモコン操作体の操作の判断を行うことを特徴とする請求項２記載の遠隔操作システム。
【請求項４】
前記リモコン操作体は、前記ＩＤタグの応答信号を送ることで操作があったことを示す前記操作情報を送るものであって、前記情報管理装置との間で交信可能な領域に前記リモコン操作体が存在しているか否かの検知のための別のＩＤタグを備え、
前記情報管理装置の信号処理部では前記別のＩＤタグから応答信号として当該ＩＤタグの識別情報が取得できているときリモコン操作体が交信可能領域内に存在していると判断することを特徴とする請求項１記載の遠隔操作システム。
【請求項５】
前記情報管理装置のリモコン信号送信部から送信される赤外線リモコン信号の信号パターンを予め学習記憶する学習機能部を備えていることを特徴とする請求項１乃至４記載の遠隔操作システム。
【発明の詳細な説明】
【技術分野】
【０００１】
本発明は、ＩＤタグを用いた遠隔操作システムに関するものである。
【背景技術】
【０００２】
従来テレビ、空調機、ＶＴＲ等の電気機器の操作には夫々に附属するリモコン送信機を用いて行うのが一般的となっているが、リモコン送信機が各機器に対応した数だけいるため、リモコン送信機の管理など非常に煩雑となっている。
【０００３】
一方各リモコン送信機が送信する赤外線リモコン信号を受光して、その信号パターンを記憶するとともに、操作スイッチに割り付ける学習リモコン送信機が提供されている（例えば、特許文献１）。
【特許文献１】特開２００４−１７９７００号公報（段落番号０００７，０００８）
【発明の開示】
【発明が解決しようとする課題】
【０００４】
ところで、単独のリモコン送信機も学習リモコン装置も何れも電源として電池を用いるため、電池交換等の煩雑さがあった。また学習リモコン送信機の場合にはメモリに赤外線リモコン信号のパターンを記憶させるために、乾電池など容量の大きな電池が必要となり、嵩高となるという問題もあった。
【０００５】
本発明は、上述の点に鑑みて為されたもので、その目的とするところは、リモコン操作体側の電池電源が不要で、電池交換の煩雑さがなく、しかもリモコン操作体の小型化や薄型化が図れる遠隔操作システムを提供することにある。
【課題を解決するための手段】
【０００６】
上述の目的を達成するために、請求項１の発明では、パッシブでＲＦ型のＩＤタグを複数備えるとともに、各ＩＤタグに応答信号として返す各別の情報を夫々記憶させ、ＩＤタグの応答信号の有／無を操作情報として送るリモコン操作体と、リモコン信号を送信するリモコン信号送信部、前記リモコン操作体の各ＩＤタグとの間で交信してＩＤタグに電力を供給するとともに、各ＩＤタグから応答信号を取得するＩＤ送受信部、ＩＤ送受信部の応答信号の受信の有／無からリモコン操作体の操作が為されていると判断された場合、当該ＩＤタグに対応付けているリモコン信号を前記リモコン信号送信部から操作対象機器に対して送信させる信号処理部を備えた情報管理装置とを備えていることを特徴とする。
【０００７】
請求項１の発明によれば、パッシブでＲＦ型のＩＤタグを用いて操作情報を送るリモコン操作体を用いるため操作側には電源が不要で、電池交換の煩雑さもなく、しかもＩＤタグを用いるため特別な発信回路や信号生成回路が不要となってリモコン操作体の小型化や薄型化が図れる。
【０００８】
請求項２の発明では、請求項１の発明において、前記リモコン操作体は、操作があったことを示す操作情報を前記ＩＤタグの応答信号の送信を阻止することで送り、前記情報管理部の前記信号処理部は前記ＩＤ送受信部が応答信号を受信できなかったＩＤタグがあると、当該ＩＤタグに対応した操作が為されたと判断することを特徴とする。
【０００９】
請求項２の発明によれば、ＩＤタグの応答を阻止する形で操作情報を送るため、操作手段としては簡単なスイッチや或いは指等を用いることができ、そのためスイッチ操作体を薄型とすることができる。
【００１０】
請求項３の発明では、請求項２の発明において、前記情報管理装置との間で交信可能な領域に前記リモコン操作体が存在しているか否かの検知のための別のＩＤタグを前記リモコン操作体に備え、前記情報管理装置では前記別のＩＤタグから応答信号として当該ＩＤタグの識別情報が取得できているときのみ、前記リモコン操作体の操作の判断を行うことを特徴とする。
【００１１】
請求項３の発明によれば、リモコン操作体が交信可能な領域外に出た場合にそれを情報管理装置側で知ることができ、その結果リモコン操作体が交信可能な領域外に存在して操作情報に対応するＩＤタグの応答信号が途絶えている場合において、リモコン信号を誤送信することがない。
【００１２】
請求項４の発明では、請求項１の発明において、前記リモコン操作体は、前記ＩＤタグの応答信号を送ることで操作があったことを示す前記操作情報を送るものであって、前記情報管理装置との間で交信可能な領域に前記リモコン操作体が存在しているか否かの検知のための別のＩＤタグを備え、前記情報管理装置の信号処理部では前記別のＩＤタグから応答信号として当該ＩＤタグの識別情報が取得できているときリモコン操作体が交信可能領域内に存在していると判断することを特徴とする。
【００１３】
請求項４の発明によれば、リモコン操作体が物の下等に隠れても誤動作することがなく、しかも別のＩＤタグの応答信号の有／無によりリモコン操作体が交信領域内に存在するか否かを情報管理装置の信号処理部で管理することができるため、リモコン操作体が交信領域外にあることをユーザーに知らせることも可能となる。
【００１４】
請求項５の発明では、請求項１乃至４の発明によれば、前記情報管理装置のリモコン信号送信部から送信される赤外線リモコン信号の信号パターンを予め学習記憶する学習機能部を備えていることを特徴とする。
【００１５】
請求項５の発明によれば、一つのリモコン操作体によって複数の機器を操作することが可能となり、利便性を向上させることができる。
【発明の効果】
【００１６】
本発明は、パッシブでＲＦ型のＩＤタグを用いて操作情報を送るリモコン操作体を用いるため操作側には電源が不要となり、しかもＩＤタグの応答を阻止する形で操作情報を送るため、操作手段としては簡単なスイッチや或いは指等を用いることができ、そのためスイッチ操作体を薄型とすることができるという効果がある。
【発明を実施するための最良の形態】
【００１７】
以下本発明を一実施形態により説明する。
【００１８】
図２は本実施形態のシステムを示しており、図示するシステムは赤外線リモコン信号ＩＲを送信する機能と、誘導電磁波若しくは電波を利用したＲＦ型で且つパッシブタイプのＩＤタグとの間で無線交信する機能とを備えた情報管理装置１と、情報管理装置１と交信する複数のＩＤタグを備え、操作情報をＩＤタグからの応答情報の有／無により情報管理装置１へ伝達するリモコン操作体２とで構成され、情報管理装置１をテレビ等の操作対象機器３を配置している住空間Ｈの天井Ｘなどに取り付け、リモコン操作体２を住空間Ｈに配設しているテーブルＴの上などの任意の場所で且つ情報管理装置１との交信可能領域に配する。
【００１９】
リモコン操作体２は本体２０には図１（ａ）に示すように例えば１２個のＲＦ型のＩＤタグ５１〜５１２をマトリクス状に配設するとともに、各ＩＤタグ５１〜５１２には例えば押し操作時にはアンテナ部の機能を無効にして情報管理装置１との間の交信ができないようにする押釦型の操作スイッチＳＷ１〜ＳＷ１２を付設し、各操作スイッチＳＷ１〜ＳＷ１２の操作部を本体２０表面に露設している。また本体２０を手で持って操作スイッチＳＷ１〜ＳＷ１２の操作部を操作する際に、指で覆われない本体２０の位置に後述する確認のためのＩＤタグ５０を配設してある。ここで各ＩＤタグ５０〜５１２には夫々を識別できる情報（コード）が記憶され、更にセレクティブアクセス方式又はマルチアクセス方式に対応したものが用いられ、情報管理装置１との間で各別に交信することができるようになっている。
【００２０】
ＩＤタグ５（５０〜５１２）は、図３に示すように変復調部５ａと、制御部５ｂと、メモリ５ｃと、アンテナ５ｄとから構成され、ＩＤタグのリーダーたる情報管理装置１から一定間隔で送信されてくる無変調の搬送波（起動信号）を変復調部５ａで受信して電力に変換し、この電力により制御部５ｂを動作させ、次に情報管理装置１から送信されてくる情報取得用信号（呼応信号）が変復調部５ａで受信復調されると制御部５ｂの制御の下でメモリ５ｃに書き込まれているＩＤ情報をメモリ５ｃから読み出し、変復調部５ａで変調して応答信号として送信するようになっている。そしてＩＤタグ５１〜５１２の制御部５ｂには外付けの操作スイッチＳＷ１〜ＳＷ１２が接続され、この操作スイッチＳＷ１〜ＳＷ１２がオン状態のときには制御部５ｂが機能せず、そのため情報管理装置１との交信が途絶して応答信号による情報を返さないようになっている。
【００２１】
一方情報管理装置１は、図１（ｂ）に示すようにリモコン操作体２の各ＩＤタグ５０〜５１２との間で交信を行うためのＩＤ送受信部１０と、リモコン信号送信部１１と、信号処理を行う信号処理部１２と、電源部（図示せず）とで構成される。
【００２２】
ここで用いるリモコン信号送信部１１は、リモコン操作体２側に設けた操作スイッチＳＷ１〜ＳＷ１２に１対１で対応する送信チャンネル数の赤外線リモコン信号と、複数の操作スイッチの同時操作を考慮して組み合わせに対応した送信チャンネル数の赤外線リモコン信号とを赤外線発光ダイオードＬＥＤから送信させることができるものであって、信号処理部１２からの指令に基づいて所定の送信チャンネルの赤外線リモコン信号を送信するようになっている。
【００２３】
また操作対象機器３に対応したリモコン送信機（図示せず）の赤外線リモコン信号を受光素子ＰＤで受光してその受光した信号パターンを各送信チャンネルに対応付けて不揮発性メモリに記憶する学習機能部１３を付設しており、学習機能部１３で記憶させる学習モードと、赤外線リモコン信号を発信する通常モードとを例えばスイッチ等で切り換えことができるようなっている。尚学習モードでの処理動作は周知の学習リモコン装置と同じ動作を為すものであるから、説明は省略する。
【００２４】
またＩＤ送受信部１０は、ＩＤタグ５０〜５１２との間で交信するための変復調手段及び発振手段を備え、信号処理部１２の制御の下で起動用信号及びデータ取得用信号を一定間隔でＩＤタグ５０〜５１２に対して送信するとともにデータ取得用信号に呼応する応答信号をＩＤタグ５０〜５１２から受信するようになっており、例えばセレクティブアクセス方式の場合には各ＩＤタグ５０〜５１２との間でサイクリックに順次交信し、取得した情報は信号処理部１２に渡すようになっている。
【００２５】
信号処理部１２は、ＩＤタグ５０からの情報取得の有／無で、リモコン操作体２が交信領域に存在するか否かを判断し、存在していると判断されるときにＩＤタグ５１〜５１２からの情報取得の有／無に基づいて次の処理を行う。つまりＩＤタグ５１〜５１２は、対応する操作スイッチＳＷ１〜ＳＷ１２が押し操作されると、ＩＤ送受信部１０との交信が途絶え、応答信号として情報を返さなくなり、これによって信号処理部１２はＩＤ送受信部１０を通じて受け取る情報を返信しない当該ＩＤタグに対応する操作スイッチが操作されたと判断するようになっている。そして操作スイッチＳＷ１〜ＳＷ１２が単独で或いは同時に複数操作されたと判断した場合、信号処理部１２は、各ＩＤタグ５１〜５１２の操作スイッチＳＷ１〜ＳＷ１２の操作と上述の送信チャンネルを対応付けたテーブルを登録している記憶部１４から、操作された操作スイッチ又は組み合わせに対応した送信チャンネルを読み出してリモコン信号送信部１１に当該送信チャンネルの赤外線リモコン信号の送信を指令するようになっている。
【００２６】
而して情報管理装置１は、交信領域内においてリモコン操作体２が存在しているとリモコン操作体２のＩＤタグ５０からの情報取得により判断している場合、操作スイッチＳＷ１〜ＳＷ１２の操作に対して待機状態となる。
【００２７】
この待機状態において、リモコン操作体２の操作スイッチＳＷ１〜ＳＷ１２の何れかに押し操作があって、対応するＩＤタグ５１〜ＩＤタグ５１２から応答信号による情報取得が無くなると、情報管理装置１の信号処理部１２は当該ＩＤタグに対応付けている送信チャンネルを上述の記憶部１４のテーブルから読み出し、当該送信チャンネルの赤外線リモコン信号の送信をリモコン信号送信部１１に指令する。この指令を受けたリモコン信号送信部１１は学習機能部１３で記憶している当該送信チャンネルに対応した信号パターンの赤外線リモコン信号を発光ダイオードＬＥＤから送信させ、所定の操作対象機器３をリモコン操作するのである。
【００２８】
一方ＩＤタグ５０の情報取得がない場合には交信領域内にリモコン操作体２が存在しないと判断し、信号処理部１２はＩＤタグ５１〜５１２からの情報取得がなくても操作スイッチＳＷ１〜ＳＷ１２が操作されたと判断せず、赤外線リモコン信号の発信処理は行わないのである。
【００２９】
尚実施形態では、操作スイッチＳＷ１〜ＳＷ１２を各ＩＤタグ５１〜５１２に対応して設け、操作スイッチＳＷ１〜ＳＷ１２の操作があると、情報管理装置１との交信ができないようにしているが、指でＩＤタグ５１〜５１２のアンテナ５ｄを覆うことで交信できないようにすれば、特別な操作手段をリモコン操作体２に設ける必要がない。
【００３０】
尚上述の実施形態では、操作スイッチＳＷ１〜ＳＷ１２の操作時にＩＤタグ５１〜５１２ の応答を阻止することで操作があったことを情報管理装置１の信号処理部１２で判断させる構成であったが、逆に通常時にはＩＤタグ５１〜５１２の応答を阻止し、操作スイッチＳＷ１〜ＳＷ１２の操作があったときに、ＩＤタグ５１〜５１２が情報管理装置１のＩＤ送受信部１０と交信して電力供給と応答信号の送信を行うようにし、情報管理装置１の信号処理部１２では応答信号を送ってきたＩＤタグ５１〜５１２に対応したリモコン信号を送信するようにリモコン信号送信部１１に指令を出すようにしても良い。そして信号処理部１２はＩＤタグ５０との交信が途絶えたときに、例えば情報管理装置１に付設している発光ダイオード等の表示手段を動作させて、リモコン操作体２が交信領域内に存在しないことをユーザーに知らせるようにしても良い。
【図面の簡単な説明】
【００３１】
【図１】（ａ）は一実施形態に用いるリモコン操作体の構成図、（ｂ）は一実施形態の情報管理装置を詳細に示したシステム図である。
【図２】一実施形態のシステム構築例図である。
【図３】一実施形態に用いるＩＤタグの構成図である。
【符号の説明】
【００３２】
１  情報管理装置
１０  ＩＤ送受信部
１１  リモコン信号送信部
１２  信号処理部
１３  学習機能部
１４  記憶部
２  リモコン操作体
３  操作対象機器
４  本体
５０〜５１２  ＩＤタグ
ＳＷ１〜ＳＷ１２  操作スイッチ
ＩＲ  赤外線リモコン信号
ＰＤ  受光素子
ＬＥＤ  赤外線発光ダイオード
【図１】
2006287807.tif 000003
【図２】
2006287807.tif 000004
【図３】
2006287807.tif 000005